(57)【要約】      （修正有）【課題】平板対称式アンテナ、および、そのアンテナを有する無線ネットワーク装置を提供する。【解決手段】基台５１と２つのアンテナ部５２，５３とを含み、各アンテナ部は輻射体５２３と接地体５２１とを含み、２つのアンテナ部の接地体は同一基台上に結合して基台と垂直をなし、前記輻射体は前記接地体と接続して前記基台と平行をなし、前記輻射体に前記基台と所定の高さの間隔を持たせ、前記アンテナは導電性の金属薄片を一体押し抜き成型して構成される単一ユニットを有した平板対称式アンテナ、および、該アンテナを装着した無線ネットワーク装置は、製造を便利で迅速にするだけでなく、無線ネットワーク装置の基板上に組み合わせ、無線ネットワーク装置の垂直方向の増幅を向上させる。【選択図】図４
0003130338.tif 000002
【実用新案登録請求の範囲】
【請求項１】
基台とアンテナ部とからなり、
該アンテナ部は輻射体および接地体とからなり、
前記接地体は前記基台上に結合するとともに前記基台と垂直をなし、
前記輻射体は前記接地体と接続するとともに前記基台と平行をなし、
かつ、前記輻射体は前記基台と所定の高さの間隔を有する平板対称式アンテナ。
【請求項２】
前記アンテナは、導電性を有する金属薄片が押し抜き成型により構成される単一ユニットであって、
前記アンテナ部は、更に少なくとも１つの嵌合部を有し、前記嵌合部は前記基台と接続し、前記基台と垂直をなし、
前記アンテナは基板上に嵌合させることができ、
前記基板上には、更に少なくとも１つの切り口があり、前記少なくとも１つの切り口の位置は前記嵌合部に対応し、
前記嵌合部が前記切り口に挿入し接続する時、前記アンテナの基台は、前記基板の上表面に貼り付けられる少なくとも１つの切り口と、制御回路とが電気的接地され、基台と電気的に接続する接地部と、前記制御回路とアンテナ部との間に接続する少なくとも１つのフィード線とを含む請求項１記載の平板対称式アンテナ。
【請求項３】
誘電材料から構成される基板であり、該基板は少なくとも１つの切り口を有し、
前記基板上には制御回路が設置されるとともに電気的接地され、
少なくとも前記基板の一部の領域を被覆する接地部と、前記接地部を通過して制御回路と接続する少なくとも１つのフィード線と、
アンテナであって、
前記アンテナは更に基台と、
各嵌合部が前記切り口と対応し、前記嵌合部は前記基台と接続するとともに前記基台と垂直をなし、前記嵌合部が前記切り口に挿入し接続する時、前記基台は前記基板上の上表面に貼り付けられる少なくとも１つの嵌合部と、
各アンテナ部が輻射体と接地体と送受信体とを有し、前記接地体は前記基板上に結合し、前記輻射体は前記接地体と接続するとともに前記基台と平行をなし、前期輻射体に前記基台と所定の高さの間隔を持たせ、前記送受信体は前記輻射体と接続するとともに自由端を有し、
前記フィード線と前記制御回路とを接続する２つのアンテナ部と
を含む平板対称式アンテナとからなる無線ネットワーク装置。
【考案の詳細な説明】
【技術分野】
【０００１】
本考案は、アンテナに関し、特に、無線ネットワーク装置に適用する平板逆Ｆ型アンテナ（Plated Inverted-F Antenna；PIFA）および前記アンテナを有する無線ネットワーク装置に関する。
【背景技術】
【０００２】
図１は、通常の無線ネットワーク装置１０の立体外観図である。前記無線ネットワーク装置１０は：本体１１と、本体１１内部に位置する内部回路装置１２と、本体１１の一端に位置するコネクタ部１３であり、外部ホストコンピューター（図示せず）に連接させることに用いるコネクタ部１３と、本体１１上に位置し且つコネクタ部１３の他端に対応するアンテナ信号送受信部１４とから構成されている。おおまかに述べて、前記アンテナ信号送受信部１４の外殻は、非金属材質から構成され、無線ネットワーク装置１０が外部ホストコンピューターと連接する時、前記アンテナ信号送受信部１４は、外部ホストコンピューターの外部に露出させて効率的に無線信号を送受信できるようにする。
【０００３】
図２は、無線ネットワーク装置の公知の内部回路装置２０の説明図である。前記無線ネットワーク装置の公知の内部回路装置２０は：基板２１と、基板上に位置する制御回路２２と、基板２１上の所定の領域を被覆する接地部２３と、前記制御回路２２に電気接続するアンテナユニット２４とを含む。図２に示されるように公知のアンテナユニット２４は、中間に位置する第１アンテナ２４１および第２アンテナ２４２を含む。この公知の内部回路装置２０のアンテナ設計から分かるように、いずれもプリントアンテナ（Printed antenna）方式により基板２１上に設計しているので、異なる形状の前記第１アンテナ２４１および前記第２アンテナ２４２を設計することによって、Ｘ−Ｙ平面上に好ましい輻射パターンおよび更に高い増幅を得ることができるが、垂直Ｚ方向の増幅においては改善の余地がない。
しかしながら、現在、無線ネットワーク装置の設計の趨勢は、「直立式（Verticle Stand）」設計に向かい、空間の占有を低減させるとともに、無線ネットワーク装置製品の外観上の現代感および科学技術感を向上させるものとなっている。明らかに、公知のプリントアンテナは、垂直Ｚ方向上の増幅が好ましくなく直立式無線ネットワーク装置の要求を満足することができない。
【０００４】
例えば、図３は、図２に示される公知のアンテナユニット２４の第１アンテナがX-Y平面における測定試験で得られる輻射パターン図である。図３の前記輻射パターン図から分かるように、第１アンテナ２４１の垂直方向における最大増幅値は、-15.89dBiだけであり、その値は明らかに消費者が我慢できる限界よりも低く（一般に要求される増幅値は少なくとも-10dBi以上である）、これは、一般的市場が高性能アンテナ設計に対する要求に対して、明らかに更なる改良の余地がある。
【特許文献１】登録実用新案第３１２１５５１号公報
【考案の開示】
【考案が解決しようとする課題】
【０００５】
本考案の第１目的は、一体に押し抜き成型することにより両側のアンテナ部を同時に形成する構造設計であって、製造を便利にし、コストを低下させる平板対称式アンテナを提供することにある。
【０００６】
本考案の第２目的は、嵌合式アンテナ設計により、迅速に無線ネットワーク装置に組み込み結合させるとともに、好適なアンテナ輻射パターンを有し垂直増幅値を増加させ、死角を減少させる無線ネットワーク装置に適用するアンテナを提供することにある。
【課題を解決するための手段】
【０００７】
上記の目的を達成するため、本考案は、基台と、２つのアンテナ部とを含むものであり、各アンテナ部は、輻射体と、送受信体と、接地体とからなり、接地体は前記基台上に結合するとともに前記基台と垂直をなし、前記輻射体は前記接地体と接続して前記基台と平行をなし、前記輻射体と前記基台とは一定の高さの間隔を有する。前記送受信体は輻射体と接続して前記基台と垂直をなす。送受信体と接地体は一定の距離の間隔を有し、更に基台と分離した自由端を有する。そして、本考案のアンテナは、少なくとも１つの嵌合部を含み、前記嵌合部は前記基台と連接して前記基台と垂直とすることができる。
【０００８】
また、本考案のアンテナを無線ネットワーク装置上に運用する時、この無線ネットワーク装置は、基板と制御回路と接地部と少なくとも１つのフィード線とを含み、前記基板は、誘電材料から構成されるとともに、前記基板上には、少なくとも１つの切り口を有し、前記制御回路は前記基板上に設置され、無線ネットワーク伝送機能を提供することができる。
前記接地部は、電気的に接地するとともに少なくとも前記基板の一部の領域を被覆し、前記フィード線は前記接地部を通過し制御回路と接続し、前記アンテナは、前記無線ネットワーク装置上に組み込まれる時、前記嵌合部は前記切り口と対応して接続し、前記基台は、前記基板の上表面に貼り付き、同時に前記接地体は、前記接地部と接続し、前記送受信体は、前記自由端により前記フィード線と接続する。
【０００９】
この無線ネットワーク装置は、好適な輻射パターンおよびより高い垂直方向増幅を得ることができ、アンテナの性能を大幅に向上させることができる。
【考案の効果】
【００１０】
本考案の平板対称式アンテナ、および、そのアンテナを有する無線ネットワーク装置によれば、平板式逆Ｆ型アンテナ（PIFA）を一体押し抜き成型により両側にアンテナ部を形成した構造設計であり、アンテナを無線ネットワーク装置に迅速に組み込み結合させることができる。更に高い垂直方向の増幅を得られるだけではなく、製造および使用の組み合わせが更に便利になり、コストも節約することができる。
【考案を実施するための最良の形態】
【００１１】
本考案の平板対称式アンテナ、および、そのアンテナを有する無線ネットワーク装置の好適な実施例を図面を参照して説明する。
図４〜図７は、本考案の実施例の平板対称式アンテナの好適な実施例の立体構造，側面構造，上から見た構造および下から見た構造の説明図である。
本考案の平板対称式アンテナ５は、導電性を有する金属薄板（例えば銅、鉄、アルミ等）を有し、押し抜き一体成型プロセスにより湾曲され形成される単一ユニットである。
従って、折曲がる箇所以外は、いずれも同じ厚さｄである。前記単一ユニットのアンテナ５は：基台５１と、２つのアンテナ部５２，５３を含む。本実施例中、２つのアンテナ部５２，５３は実質上、対称にそれぞれ前記基台５１の両側に設置されるとともに、２つのアンテナ部５２，５３の形状は、実質上、相互に対応する。従って、以下単一アンテナ部５２の構造だけを説明し、もう１つのアンテナ部５３の構造は、記載しない。
前記アンテナ部５２は、更に接地体５２１と、送受信体５２２と、輻射体５２３とを含む。前記接地体５２１は、前記基台５１上に結合し、前記基台５１を湾曲させることにより形成され、前記基台５１と垂直をなす。前記輻射体５２３は、前記接地体５２１と接続し、前記基台５１と平行であり、前記輻射体５２３は、前記基台５１と高さｈの間隔を有する；本実施例中、前記高さｈは３〜４.５ｍｍであることが好ましい。本考案の好適な実施例中、前記輻射体５２３は、所定の形状の溝５２４を有し、前記溝５２４は、前記接地体５２１と対応する開口５２５を有する。
前記溝５２４は、Ｖ字型形状を呈し、前記輻射体５２３に端部５２６を形成させ、前記輻射体５２３の所定の形状および寸法によりその帯域を応用したバンドまたは帯域を変化させる。前記送受信体５２２は、輻射体５２３と接続する。前記送受信体５２２は、前記基台５１と垂直をなし、前期接地体の同一側上に位置し、前記接地体５２１と距離Ｓの間隔を有する。前記送受信体５２２は、更に自由端５２７を有し、前記自由端５２７および前記基台５１は、相互に分離してなる。
【００１２】
本実施例中、前記アンテナ５は、更に、少なくとも１つの嵌合部５４を含み、前記嵌合部５４は、前記基台５１と接続し、前記基台５１と垂直をなす。好適には、前記嵌合部５４は、３つ設計され、三角形状の端点位置を呈する。当然、嵌合部５４は、1つ，２つ、４つ以上であってもよく、これらの数量の変化は、当該技術者が上記の説明に基づいて変更できるものであり、本考案の意味するところを離脱せず、本考案の技術思想および範囲も離脱しないので、ここに多くを記載しない。
【００１３】
図８は、本考案のアンテナを有する無線アンテナネットワーク装置中、その内部回路装置の好適な実施例の説明図である。本考案の無線ネットワーク装置６：基板６１と、制御回路６２と、接地部６３と、少なくとも１つのフィード線６４および本考案のアンテナ５とを含む。前記基板６１は、誘電材料から構成され、矩形状を呈する基板６１である。前記基板６１は、少なくとも１つの切り口６１１を有し、好適な実施例中、前記切り口６１１は３つであり、三角形の端点位置を呈して設置される。前記制御回路６２は、基板６１上に設置され、集積回路部材と電子部材の回路配置を含み、無線ネットワーク伝送機能を提供することができる。
また、制御回路６２は、公知技術を選択して使用することができ、本考案の主要な技術特徴ではないので、ここでは詳細な構成を記載しない。
【００１４】
前記接地部６３は、電気的接地（ＧＮＤ）であり、少なくとも前記基板６１の一部の領域を被覆する。好適な実施例中、前記アンテナ５の大部分の部材は、前記実施例と同一または類似するものであるので、同一な部材は、同一の名称および番号を与える。アンテナ５の前記嵌合部５４は、前記切り口６１１に対応して設置し、相互に接続し、前記基台５１は、前記基板６１表面に貼り付けられ、各アンテナ部５２，５３の前記接地体５２１は、前記接地部６３に貼り付けられ、電気的接地の機能を提供し、前記送受信体５２２の自由端５２７は、前記フィード線６４と接続し、信号伝送の機能を提供する。
【００１５】
図９は、図８に示される本考案のアンテナ中のアンテナ部がＸ-Ｙ平面において測定試験して得られる輻射パターン図である。図９の前記輻射パターン図から分かるように、本考案のアンテナ部５２の垂直方向（Vatical）上の増幅値は、−3.96dBiに達し、増幅効果は明らかに図２に示される公知技術の-13.27dBiより高いものである。図１０は、図８に示される本考案のアンテナ中のアンテナ部が折り返し損失を測定して得られる図形である。図１０から分かるように、本考案のアンテナの折り返し損失は、-10dBiより小さく、一般市場の高性能アンテナの設計に対する要求を満たしている。従って、本考案のアンテナ５は、垂直方向において公知の技術より良好な無線信号通信品質および伝送効率を達成することができ、更に一体押し抜き成型により同時に両側のアンテナ部を形成する構造設計であり、製造ならびにコストの低減に有利である。
【００１６】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００１７】
【図１】通常の無線ネットワーク装置の立体外観図である。
【図２】無線ネットワーク装置の公知の内部回路装置説明図である。
【図３】図２に示される公知のアンテナユニットの第１アンテナがＸ-Ｙ平面における測定試験で得られる輻射パターン図である。
【図４】本考案の平板対称式アンテナの好適な実施例の立体構造説明図である。
【図５】本考案の平板対称式アンテナの好適な実施例の側面構造説明図である。
【図６】本考案の平板対称式アンテナの好適な実施例の上から見た構造説明図である。
【図７】本考案の平板対称式アンテナの好適な実施例の下から見た構造説明図である。
【図８】本考案のアンテナの無線ネットワーク装置の好適な実施例の構造説明図である。
【図９】図８に示される本考案のアンテナ中のアンテナ部がＸ-Ｙ平面における測定試験で得られる輻射パターン図である。
【図１０】図８に示される本考案のアンテナ中のアンテナ部が折り返し損失を測定試験して得られる輻射パターン図である。
【符号の説明】
【００１８】
１０ 無線ネットワーク装置
１１ 本体
１２ 内部回路装置
１３ コネクタ部
１４ アンテナ信号送受信部
２０ 公知の内部回路装置
２１ 基板
２２ 制御回路
２３ 接地部
２４ アンテナユニット
２４１ 第１アンテナ
２４２ 第２アンテナ
５ （平板対称式）アンテナ
５１ 基台
５２，５３ アンテナ部
５２１ 接地体
５２２ 送受信体
５２３ 輻射体
５２４ 溝
５２５ 開口
５２６ 端部
５２７ 自由端
５４ 嵌合部
６ 無線ネットワーク装置
６１  基板
６１１ 切り口
６２ 制御回路
６３ 接地部
６４ フィード線
ｈ 高さ
ｓ 距離
ｄ 厚さ
【図１】
0003130338.tif 000003
【図２】
0003130338.tif 000004
【図３】
0003130338.tif 000005
【図４】
0003130338.tif 000006
【図５】
0003130338.tif 000007
【図６】
0003130338.tif 000008
【図７】
0003130338.tif 000009
【図８】
0003130338.tif 000010
【図９】
0003130338.tif 000011
【図１０】
0003130338.tif 000012